(57)【要約】【課題】  各引違い戸を一斉に開錠できながら、リモコンでの操作の場合には開錠を希望しない錠装置が作動しないようにできる錠システムを提供する。【解決手段】  本発明では、各引違い戸１の一方のガラス戸３に錠装置１１の本体１２を取り付け、各本体１２には、他方のガラス戸４の受け金具に係止されるクレセント１３と、クレセント１３を受け金具から外す開錠手段と、リモコン３５からの第１電波信号および開錠操作部４６からの第２電波信号を受信するアンテナ部３７と、リモコン３５に設けた永久磁石５２が接近するとオンするリードスイッチ４３と、開錠手段を作動させる錠制御部３８を有する。錠制御部３８は、第２電波信号を受信すると開錠手段を作動させ、またリードスイッチ４３のオン状態で第１電波信号を受信すると開錠手段を作動させる。【選択図】  図１
2013224517.tif 000002
【特許請求の範囲】
【請求項１】
建物の複数の開口部にそれぞれ配置している引違い戸（１）に錠装置（１１）をそれぞれ配置する錠システムであって、
前記各引違い戸（１）の一方の戸（３）には、錠装置（１１）の本体（１２）をそれぞれ取り付けており、
各本体（１２）には、各引違い戸（１）の他方の戸（４）に取り付けている受け金具に対して着脱自在に係止されるクレセント（１３）と、そのクレセント（１３）を強制的に回転させて前記受け金具から外す開錠手段と、リモコン（３５）からの第１電波信号および開錠操作部（４６）からの第２電波信号を受信するアンテナ部（３７）と、リモコン（３５）に設けている操作手段（５２）が接近するとオンする起動スイッチ（４３）と、前記開錠手段を作動させる錠制御部（３８）とをそれぞれ有しており、
前記錠制御部（３８）は、前記第２電波信号を受信すると前記開錠手段を作動させ、また起動スイッチ（４３）がオンしている状態で前記第１電波信号を受信すると前記開錠手段を作動させることを特徴とする錠システム。
【請求項２】
前記錠制御部（３８）は、所定の設定時間ごとに動作および動作停止を繰り返す間欠動作を行っていて、その動作期間中に前記第２電波信号を受信すると前記開錠手段を作動させ、また動作停止期間中であっても前記起動スイッチ（４３）がオンすると動作を開始し、その起動スイッチ（４３）のオン状態で前記第１電波信号を受信したときに前記開錠手段を作動させることを特徴とする請求項１記載の錠システム。
【請求項３】
前記開錠操作部（４６）には、非常事態を検知する一または複数個の非常感知器（４７）を接続しており、
前記開錠操作部（４６）は、少なくとも一つの非常感知器（４７）が非常事態を検知したときに前記第２電波信号を送信することを特徴とする請求項１または２記載の錠システム。
【請求項４】
前記開錠操作部（４６）には、手動でオン操作する開錠スイッチ（４９）を有しており、
開錠操作部（４６）は、開錠スイッチ（４９）がオンしたときに前記第２電波信号を送信することを特徴とする請求項１ないし３のいずれかに記載の錠システム。
【請求項５】
前記開錠操作部（４６）には、前記第２電波信号を送信する際に報知の動作を行う報知部（５１）を有することを特徴とする請求項３または４記載の錠システム。
【請求項６】
前記起動スイッチ（４３）がリードスイッチであり、
前記操作手段（５２）が永久磁石であることを特徴とする請求項１ないし５のいずれかに記載の錠システム。
【請求項７】
前記錠装置（１１）の本体（１２）には、前記開錠手段によってクレセント（１３）が前記受け金具から外されたことを検知する検知手段（４２）と、報知の動作を行う報知手段とを有しており、
前記錠制御部（３８）は、前記開錠手段を作動させた際に、検知手段（４２）が前記受け金具からクレセント（１３）が外れたことを検知したときには、所定の報知時間だけ前記報知手段に前記報知の動作を行わせることを特徴とする請求項１ないし６のいずれかに記載の錠システム。
【請求項８】
前記錠装置（１１）の本体（１２）の開錠手段には、動力源としてのモータ（１７ａ）を有しており、
前記錠制御部（３８）は、前記モータ（１７ａ）の作動開始から所定の作動時間が経過するまでに、クレセント（１３）が前記受け金具から外れたことを前記検知手段（４２）によって検知されないときには、当該モータ（１７ａ）を停止させるとともに、前記報知手段によって報知の動作を行わせることを特徴とする請求項７記載の錠システム。
【請求項９】
前記各錠装置（１１）の本体（１２）の錠制御部（３８）は、アンテナ部（３７）で受信した前記第２電波信号を増幅して、その増幅した第２電波信号を送信することを特徴とする請求項１ないし８のいずれかに記載の錠システム。
【発明の詳細な説明】
【技術分野】
【０００１】
本発明は、介護施設、マンション、一般住宅またはビルディングなどの建物の複数の開口部にそれぞれ配置している引違い戸（引違い窓）を施開錠するための錠システムに関するものである。
【背景技術】
【０００２】
例えばベランダへの出入り口（開口部）に配置されている引違い窓（引違い戸）では、防犯のために、ベランダ側および室内側のガラス戸を閉じ切ったのち、室内側のガラス戸に取り付けたクレセントのレバーを手で掴んで回転させて、ベランダ側のガラス戸に固定した受け具にクレセントを係止させることにより、前記引違い窓を施錠するようになっている。
【０００３】
ところで、高齢者などの要介護者を個室に収容する介護施設においては、例えば火災が発生したときに、前記要介護者が各個室の引違い窓のクレセントを回転させて引違い窓を開錠したのち、その引違い窓を開いてベランダへ避難することになるが、要介護者にあってはクレセントを迅速に回転させることが困難である。そのため、引違い窓の開錠に時間がかかってしまい、要介護者が早急に避難できないといった問題がある。
【０００４】
それに対して、特許文献１には、集合住宅の管理人が中央監視制御装置にてキー入力することにより、各住戸の電気錠（錠装置）が一斉に開錠する錠システムが開示されている。また、特許文献２には、リモコン（リモートコントローラ）の「開」のタッチボタンを操作することにより、リモコンから電波信号が送信され、その電波信号をアンテナが受信することで、クレセントが自動的に回転して引違い窓を開錠する電気錠（錠装置）が開示されている。
【０００５】
前記要介護者の早急な避難を図るうえで、特許文献１および特許文献２の技術を介護施設に適用することが考えられる。つまり、介護施設の各個室の引違い窓に特許文献２の錠装置をそれぞれ配置するとともに、当該介護施設に特許文献１の錠システムを設置する。そして、火災などの非常事態が発生したときに特許文献１の錠システムの中央監視制御装置から各引違い窓の錠装置へ電波信号を一斉に送信し、その電波信号を各錠装置のアンテナがそれぞれ受信することで各引違い窓のクレセントを回転させて、各引違い窓を一斉に開錠する。
【０００６】
それによると、要介護者がクレセントを手動で回転させる手間が省け、その分だけ高齢者などの要介護者であっても早急に引違い窓を開いて避難することができる。また、要介護者が自己の個室でリモコンを操作することにより、自己の個室の引違い窓のクレセントを回転させて当該引違い窓を開錠することができる。
【先行技術文献】
【特許文献】
【０００７】
【特許文献１】実開平７−２６５４７号公報
【特許文献２】特開２００４−２５０９４６号公報
【発明の概要】
【発明が解決しようとする課題】
【０００８】
ところが、前記介護施設において、いずれかの個室でリモコンを操作した場合、そのリモコンからの電波信号が他の個室まで到達して、当該他の個室の錠装置までも不用意に開錠してしまう虞があるといった問題がある。また、リモコンは、内蔵の電池によって作動するために、消費電力を抑えて前記電池の寿命を延ばすことが必要となる。
【０００９】
本発明は、かかる不都合を解決することを目的とするものであり、各引違い戸を一斉に開錠できながら、リモコンでの操作の場合には開錠を希望しない錠装置が作動しないようにできる錠システムを提供することにある。そのうえで消費電力を抑えることができる錠システムを提供することにある。
【課題を解決するための手段】
【００１０】
本発明は、前記不都合を解決するものである。すなわち本発明は、建物の複数の開口部にそれぞれ配置している引違い戸１に錠装置１１をそれぞれ配置する錠システムであって、各引違い戸１の一方の戸３には、錠装置１１の本体１２をそれぞれ取り付けており、各本体１２には、各引違い戸１の他方の戸４に取り付けている受け金具に対して着脱自在に係止されるクレセント１３と、クレセント１３を強制的に回転させて受け金具から外す開錠手段と、リモコン３５からの第１電波信号および開錠操作部４６からの第２電波信号を受信するアンテナ部３７と、リモコン３５に設けている操作手段５２が接近するとオンする起動スイッチ４３と、開錠手段を作動させる錠制御部３８とをそれぞれ有し、錠制御部３８は、第２電波信号を受信すると開錠手段を作動させ、また起動スイッチ４３がオンしている状態で第１電波信号を受信すると開錠手段を作動させることを特徴とする。
【００１１】
ここでの引違い戸１には、引違い窓や片引き窓や片引き戸なども含まれる。開錠操作部４６は、建物に一個だけ配置する場合と複数個配置する場合とが含まれ、建物内の廊下や階段の壁、建物の外壁または管理人室などに配置される。起動スイッチ４３には、リードスイッチやキースイッチなどが該当する。操作手段５２には、前記リードスイッチをオン操作するための永久磁石や、前記キースイッチをオン操作するためのキーなどが該当する。前記接近には、操作手段５２が起動スイッチ４３から、例えば１０ｃｍ以内に近づく場合や、操作手段５２が起動スイッチ４３に接触する場合などが含まれる。操作手段５２は、リモコン３５に内蔵されている場合や、リモコン３５に紐などで取り付けられている場合などが含まれる。アンテナ部３７には、ループアンテナやバーアンテナなどが該当する。
【００１２】
錠制御部３８が、所定の設定時間ごとに動作および動作停止を繰り返す間欠動作を行っていて、その動作期間中に第２電波信号を受信すると開錠手段を作動させ、また動作停止期間中であっても起動スイッチ４３がオンすると動作を開始し、起動スイッチ４３のオン状態で第１電波信号を受信したときに開錠手段を作動させるものとすることができる。前記設定時間としては、０．１〜０．５秒間程度だけ動作したのちに５〜１０秒間程度だけ動作停止する場合などが該当する。ここでは、起動スイッチ４３がオンすると、当該起動スイッチ４３を介して錠制御部３８に電源が供給され、それによって錠制御部３８の動作が開始するように構成することなどが該当する。
【００１３】
開錠操作部４６に、非常事態を検知する一または複数個の非常感知器４７を接続し、開錠操作部４６は、少なくとも一つの非常感知器４７が非常事態を検知したときに第２電波信号を送信するものとすることができる。非常事態には、火災や地震などが該当し、非常感知器４７には、煙感知器や熱感知器や地震感知器などが該当する。
【００１４】
また、開錠操作部４６に、手動でオン操作する開錠スイッチ４９を有し、開錠操作部４６が、開錠スイッチ４９がオンしたときに第２電波信号を送信するものとすることができる。開錠スイッチ４９には、押ボタンや押切スイッチやタッチスイッチなどが該当する。
【００１５】
開錠操作部４６には、第２電波信号を送信する際に報知の動作を行う報知部５１を有するものとすることができる。報知部５１での報知の動作には、ベルやブザーなどが鳴動する場合や、ランプ（ＬＥＤなど）や赤色回転灯などが点灯（点滅）する場合や、前記ベルなどの鳴動とランプなどの点灯とが同時に行われる場合などが該当する。
【００１６】
また、起動スイッチ４３がリードスイッチであり、操作手段５２が永久磁石であるものとすることができる。
【００１７】
各錠装置１１の本体１２には、開錠手段によってクレセント１３が受け金具から外されたことを検知する検知手段４２と、報知の動作を行う報知手段とを有し、各錠装置１１の本体１２の錠制御部３８は、開錠手段を作動させた際に検知手段４２が受け金具からクレセント１３が外れたことを検知したときには、所定の報知時間だけ報知手段に報知の動作を行わせるものとすることができる。その報知手段での報知の動作には、ブザーなどが鳴動する場合や、ランプ（ＬＥＤなど）が点灯（点滅）する場合や、前記ブザーなどの鳴動とランプの点灯とが同時に行われる場合などが該当する。報知時間としては、５〜１０分間などの過度に長くならない時間が該当する。
【００１８】
錠装置１１の本体１２の開錠手段には、動力源としてのモータ１７ａを有しており、錠制御部３８は、モータ１７ａの作動開始から所定の作動時間が経過するまでに、クレセント１３が受け金具から外れたことを検知手段４２によって検知されないときには、モータ１７ａを停止させるとともに、報知手段によって報知の動作を行わせるものとすることができる。前記作動時間としては、５〜１０秒間などが該当する。
【００１９】
各錠装置１１の本体１２の錠制御部３８は、アンテナ部３７で受信した第２電波信号を増幅して、その増幅した第２電波信号を送信するものとすることができる。ここでは、同一のアンテナ部３７で第２電波信号の受信および増幅後の第２電波信号の送信を行う場合や、第２電波信号を受信するアンテナ部３７と増幅後の第２電波信号を送信するアンテナ部とを別々に構成する場合などが含まれる。
【発明の効果】
【００２０】
本発明の錠システムでは、例えば、各錠装置１１の本体１２のクレセント１３をそれぞれ受け金具に係止して各引違い戸１を施錠した状態において、各錠装置１１が、アンテナ部３７で開錠操作部４６からの第２電波信号を受信すると、錠制御部３８が開錠手段を作動させてクレセント１３を強制的に回転させて受け金具から外す。それによって各引違い戸１が一斉に開錠し、高齢者などの要介護者であっても早急に引違い戸１を開いて避難することができる。
【００２１】
また、前記アンテナ部３７がリモコン３５からの第１電波信号を受信した場合にも、前記錠制御部３８が開錠手段を作動させてクレセント１３を受け金具から外して、引違い戸１を開錠する。
【００２２】
そのリモコン３５によって引違い戸１の開錠操作を行うときには、当該リモコン３５の操作手段５２を開錠対象の引違い戸１の錠装置１１の本体１２の起動スイッチ４３に接近させて当該起動スイッチ４３をオンさせないと、前記リモコン３５からの第１電波信号によって開錠対象の引違い戸１の錠装置１１の開錠手段を作動させることができない。つまり、開錠対象以外の引違い戸１の錠装置１１は、起動スイッチ４３にリモコン３５の操作手段５２が接近していないので、前記リモコン３５からの第１電波信号を受信しても開錠手段が作動しない。それにより、開錠対象以外の引違い戸１が誤って開錠されることがなく、リモコン３５の操作者は開錠対象の引違い戸１のみを確実に開錠することができる。
【００２３】
また、錠装置１１の錠制御部３８が、動作および動作停止を繰り返す間欠動作を行っていると、錠制御部３８が常に動作している場合に比べて、錠装置１１の消費電力を抑えることができる。しかも錠制御部３８が、動作停止期間中であっても起動スイッチ４３がオンすると動作を開始することで、リモコン３５の消費電力も抑えることができる。
【００２４】
つまり、前記間欠動作を行っている錠制御部３８は、その動作期間（動作時間）中のみ電波信号を受け付けて開錠手段を作動させることが可能であるために、例えばリモコン３５から第１電波信号を送信するだけで開錠手段が作動するように構成した場合、そのリモコン３５は前記動作停止の期間よりも長い期間、第１電波信号を送信しなければ、動作期間中の錠制御部３８に第１電波信号を受け付けさせることができない。従って、動作停止の期間よりも長い期間、第１電波信号を送信しなければならない分だけ、リモコン３５の消費電力が大きくなってしまう。
【００２５】
本発明では、前述のように起動スイッチ４３をオンさせたときには、動作停止期間であっても錠制御部３８が動作するので、その起動スイッチ４３のオン状態でリモコン３５から第１電波信号を送信したときには開錠手段が必ず作動する。従ってリモコン３５は、第１電波信号を送信する期間だけ作動すればよく、その分だけリモコン３５の消費電力を抑えることができることになる。
【００２６】
また、開錠操作部４６が、非常感知器４７によって非常事態が検知されたときに第２電波信号を送信すると、火災や地震などの非常事態の際には、各錠装置１１のクレセント１３が一斉に回転して受け金具から外れ、各引違い戸１が自動的に開錠する。それによって住人などは、非常事態の際に引違い戸１を迅速に開いて早急な避難を行うことができる。
【００２７】
開錠操作部４６が、開錠スイッチ４９がオンされたときに第２電波信号を送信すると、火災や地震などの非常事態に気付いた建物の管理人などが開錠操作部４６の操作スイッチ４９を操作することで、各引違い戸１を一斉に開錠することができる。それによって住人などは、非常事態の際に引違い戸１を迅速に開いて早急な避難を行うことができる。
【００２８】
開錠操作部４６が第２電波信号を送信する際に報知の動作を行うと、火災や地震などの非常事態が生じたことで各引違い戸１が開錠していることを住人などに知らせることができ、前記住人などの迅速な避難を図ることができる。
【００２９】
起動スイッチ４３がリードスイッチであり、操作手段５２が永久磁石であると、それらが比較的低コストであるので、その分だけ本発明の錠システムにかかるコストを抑えることができる。また、リードスイッチ４３は錠装置１１の本体１２内に収めることができ、永久磁石はリモコン３５内に収めることができるので、その分だけ錠装置１１の本体１２およびリモコン３５の見栄えをよくすることができる。
【００３０】
各錠装置１１の錠制御部３８が、開錠手段によってクレセント１３が受け金具から外された際に報知を行うと、例えば夜間に火災などの非常事態が発生し、その非常事態に伴って停電が生じて建物内が暗くなっても、その非常事態の際には、各錠装置１１の開錠手段によってクレセント１３が受け金具から外されて各引違い戸１が開錠するのと同時に報知が行われるので、その報知によって住人などが引違い戸１の位置を確認でき、それによって引違い戸１を確実に開いて避難することができる。
【００３１】
錠装置１１の開錠手段のモータ１７ａの作動開始から所定の作動時間が経過するまでに、クレセント１３が受け金具から外れたことが検知手段４２によって検知されないときには、モータ１７ａを停止させるとともに報知手段によって報知の動作を行わせると、異常などによってモータ１７ａが長時間作動し続けて、当該モータ１７ａが破損することや消費電力が過度に増えることなどを防止することができる。
【００３２】
各錠装置１１の錠制御部３８が、アンテナ部３７で受信した開錠操作部４６からの第２電波信号を増幅して送信すると、開錠操作部４６から離れた位置の錠装置１１であっても第２電波信号を確実に受信することができる。
【図面の簡単な説明】
【００３３】
【図１】本発明の錠システムの全体を示すブロック構成図である。
【図２】本発明の錠システムのブロック構成図である。
【図３】錠システムを配置した引違い窓の正面図である。
【図４】錠装置の本体の縦断面図である。
【図５】図４のＡ−Ａ線矢視断面図である。
【図６】本発明の錠システムに係るクレセントの縦断面図である。
【図７】図６のＢ−Ｂ線矢視断面図である。
【図８】クレセント内のカムの作用を説明するための図６の相当図である。
【図９】図６のＣ−Ｃ線矢視断面図である。
【図１０】図６のＤ−Ｄ線矢視断面図である。
【図１１】クレセントの開錠状態を示す図４の相当図である。
【発明を実施するための形態】
【００３４】
本発明に係る錠システムの一実施例を図１ないし図１１に基づいて説明する。本発明の錠システムは、例えば、介護施設などの建物の室内（屋内）とベランダとを仕切る出入り口（開口部）に配置する引違い窓（引違い戸）１を施開錠するものである。その建物には複数の室を有しており、各室に引違い窓１をそれぞれ配置している。そして、各室の住人などがリモコン３５を用いて引違い窓１を開錠するようになっている。
【００３５】
また、前記建物には、火災などの非常事態を検知する一または複数個の煙感知器や熱感知器などの非常感知器４７を配置しており、少なくとも一つの非常感知器４７によって非常事態が検知されると、各室のクレセント１３が一斉に回転して各引違い窓１をそれぞれ開錠するようになっている。また、一または複数個の開錠操作部４６に設けた操作ボタン（開錠スイッチ）４９をオン操作すると、各室のクレセント１３が一斉に回転して各引違い窓１をそれぞれ開錠するようになっている。以下、具体的に説明する。
【００３６】
前記引違い窓１は、図３に示すように、前記出入り口に固定しているアルミニウム製の矩形状の枠２と、前記出入り口を開閉する内外二枚のガラス戸（戸）３・４とを有している。前記枠２は、左右の竪枠２ａ・２ａと、それらの竪枠２ａ・２ａの上端間に掛け渡した上枠２ｂと、竪枠２ａ・２ａの下端間に掛け渡した下枠２ｃとで構成している。
【００３７】
各ガラス戸３・４は、ガラス５をアルミニウム製の矩形状の框６の中に取り付けている。その框６は、左右の縦框６ａ・６ａと、その縦框６ａ・６ａの上端間に掛け渡した上框６ｂと、左右の縦框６ａ・６ａの下端間に掛け渡した下框６ｃとで構成している。各ガラス戸３・４は、枠２の上枠２ｂおよび下枠２ｃに配置した上下のレール（不図示）に沿って左右方向にスライド移動可能になっている。
【００３８】
前記ガラス戸３・４のうち、室内側（内側）となる一方のガラス戸３（図３では右側）には、左側の縦框６ａの左面に本発明に係る錠装置１１の本体１２を取り付けており、ベランダ側（外側）となる他方のガラス戸４（図３では左側）には、右側の縦框６ａであって錠装置１１の本体１２のクレセント１３に対応する位置に、フック状の受け金具（不図示）を取り付けている。両ガラス戸３・４において前記出入り口の左右の端部に位置する縦框６ａ・６ａには、その内側および外側に取っ手９をそれぞれ取り付けている。
【００３９】
錠装置１１の本体１２には、図４および図５に示すように、前記受け金具に対して着脱自在に係止される前記クレセント１３と、そのクレセント１３を回転自在に支持しているとともに本体１２のベース２０に回転自在に支持されている円筒形状のギヤ１４と、クレセント１３が前記受け金具から外れる開錠方向（図４では時計回り方向）にギヤ１４を付勢する付勢部１５と、ギヤ１４を回転不能にロックするギヤロック部１６と、そのギヤロック部１６によるロックを解除する解除部１７とを有している。本体１２のベース２０は、一方のガラス戸３の左側の縦框６ａにビスなどで取り付けている。本体１２のベース２０および各部は、外装カバー２１で覆われている。
【００４０】
クレセント１３は、図６および図７に示すように、円筒形状の軸部１３ａと、その軸部１３ａから外方へ延びているレバー１３ｂと、軸部１３ａの外周面から突出していて前記受け金具に係止される扇形状の係止部１３ｃと、レバー１３ｂに配置しているクレセントロック部１９とを有している。ギヤ１４は、クレセント１３の軸部１３ａに内嵌する円筒形状の筒部１４ａと、付勢部１５のラック１５ａ（図４）が噛合するギヤ体１４ｂ（図１０参照）とを有している。ギヤ１４の筒部１４ａは、錠装置１１の本体１２のベース２０に固定している円柱形状の軸３２に対して回転自在に外嵌している。ギヤ体１４ｂは、筒部１４ａよりもベース２０側に位置している。
【００４１】
付勢部１５は、図４および図５に示すように、上下方向に延びる角棒形状の前記ラック１５ａと、そのラック１５ａに一端（図４では上側）を接続しているコイルバネ１５ｂとを有している。前記ラック１５ａは、ギヤ１４のギヤ体１４ｂに噛合する歯１５ｃをラック１５ａの長さ方向（上下方向）に並べている。コイルバネ１５ｂの他端（図４では下側）は本体１２のベース２０に取り付けている。ギヤロック部１６は、付勢部１５のラック１５ａの上端部に形成している切り欠き１５ｄに噛合する位置（図４の位置）とラック１５ａから離れる所定の解除位置（図４では左側）との間でスライド移動（図４では左右方向）する爪１６ａと、その爪１６ａをラック１５ａ側へ付勢するコイルバネ１６ｂとを有している。ギヤロック部１６の爪１６ａの先端面は、ギヤ１４側（下側）へ向かうに従って後方（図４では左方向）となるように傾斜している。
【００４２】
解除部１７は、後述する錠制御部３８によって制御される動力源としてのモータ１７ａと、そのモータ１７ａの出力軸に減速装置を介して連結しているカム１７ｂと、そのカム１７ｂに一端部（図４では上側）が当接して当該カム１７ｂによって揺動駆動されるアーム１７ｃとを有している。アーム１７ｃは、その上下中間を揺動軸１０によってベース２０に揺動自在に支持されている。そのアーム１７ｃの他端部（図４では下側）は、ギヤロック部１６の爪１６ａに設けているピン１６ｃに当接しており、ギヤロック部１６のコイルバネ１６ｂの付勢力によって付勢部１５のラック１５ａ側へ押されている。それによってアーム１７ｃの一端部が解除部１７のカム１７ｂに押し付けられる。
【００４３】
クレセントロック部１９は、図６および図７に示すように、クレセント１３のレバー１３ｂ内に配置していて、レバー１３ｂの長さ方向（図６では上下方向）へスライド移動可能なロッド１９ａと、ロッド１９ａのスライド移動を規制する規制部２３と、ロッド１９ａをギヤ１４の筒部１４ａ側へ付勢するコイルバネ２４とを有している。クレセントロック部１９のロッド１９ａの端部（図６では下側）は、ギヤ１４の筒部１４ａの外周面に形成している溝状の係留部１４ｃに係留（嵌合）可能になっている。
【００４４】
クレセントロック部１９の規制部２３は、クレセントロック部１９のロッド１９ａに形成している切り欠き２７内に位置しているカム２５と、そのカム２５に連結していてカム２５を回転させるための頭部２６とを有している。カム２５は、クレセント１３のレバー１３ｂの内面に回転自在に支持されている。頭部２６は、レバー１３ｂ外（図７では左側）に露出しており、その露出面に、例えば十円硬貨の厚み寸法より０．５ｍｍ程度だけ大きい幅の溝２６ａを形成している。その溝２６ａに十円硬貨やマイナスドライバなどを差し込んで頭部２６を回転させることができる。頭部２６とカム２５とは、円柱形状のピン２６ｂで連結している。
【００４５】
規制部２３のカム２５は、図６に示すように、カム山２５ａをロッド１９ａのスライド移動方向と直交する方向（図６では左右方向）に向けると、ロッド１９ａがコイルバネ２４の付勢力によってレバー１３ｂの基端側（図６では下側）に押される。その状態で、例えばクレセント１３が回転されて、ロッド１９ａの前記端部がギヤ１４の筒部１４ａの係留部１４ｃに臨むと、当該ロッド１９ａの端部がギヤ１４の係留部１４ｃに嵌まり込んで係留される。その係留状態でクレセント１３とギヤ１４とが一体化して回転可能になっている。
【００４６】
また、規制部２３のカム２５は、図８に示すように、カム山２５ａをレバー１３ｂの先端側（図８では上側）に向けると、そのカム山２５ａによってロッド１９ａの切り欠き２７のレバー１３ｂの先端側の縁２７ａがレバー１３ｂの先端側へ押される。それにより、前記レバー１３ｂがコイルバネ２４の付勢力に抗してギヤ１４の係留部１４ｃから外れ、その結果、クレセント１３を手動で自由に回転させることができる。その手動での回転の際には、ギヤ１４や付勢部１５の付勢力などが抵抗にならず、クレセント１３を軽い力で回転させることができる。
【００４７】
このように錠装置１１の本体１２には、クレセント１３を強制的に回転させて受け金具から外す開錠手段を有している。なお、クレセント１３のロッド１９ａのスライド移動可能な範囲は、クレセント１３のレバー１３ｂに設けている突起２９がロッド１９ａに形成している切り欠き２８内に位置することによって規制される。
【００４８】
ギヤ１４の筒部１４ａの外周の端部（図６では右側）には、図９に示すように、周方向に延びる扇形状の突起１４ｄを形成している。その突起１４ｄは、クレセント１３の軸部１３ａの端面（図６では右側）からベース２０側へ突出していて周方向に延びる扇形状の突起１３ｅに当接可能になっている。クレセント１３の突起１３ｅの周方向の寸法は、ギヤ１４の突起１４ｄの周方向の寸法よりも大きくなっている。クレセント１３の回転に伴ってクレセント１３の突起１３ｅがギヤ１４の突起１４ｄに当接したときには、クレセント１３の回転にギヤ１４が同行回転し、またギヤ１４の回転に伴ってギヤ１４の突起１４ｄがクレセント１３の突起１３ｅに当接したときには、ギヤ１４の回転にクレセント１３が同行回転するようになっている。
【００４９】
錠装置１１の本体１２のベース２０には、図１０に示すように、前記軸３２の外周面に沿って扇形状に延びる突起３０を形成しており、その突起３０は、ギヤ１４のギヤ体１４ｂの端面（図６では右端）に形成していてギヤ体１４ｂの周方向に延びる扇形状の凹部３１に入り込んでいる。そして、ギヤ１４の凹部３１の周方向の縁がベース２０の突起３０に当接することで、ギヤ１４の回転範囲が規制される。ギヤ体１４ｂの凹部３１の周方向の寸法は、ベース２０の突起３０の周方向の寸法よりも大きくなっている。
【００５０】
錠装置１１の本体１２には、クレセント１３が過度の速度で回転しないように減速手段を有している。その減速手段は、図４に示すように、付勢部１５のラック１５ａから横方向（図４では左方向）へ延びる延出部３３と、その延出部３３の下方に位置するショックアブソーバー３４とを有している。そして、コイルバネ１５ｂの引っ張り力（付勢力）によってラック１５ａが下方向にスライド移動する際に、ラック１５ａの延出部３３がショックアブソーバー３４に受け止められることによって、当該ラック１５ａの移動速度が減速される。それに伴ってギヤ１４の回転が減速し、そのギヤ１４に同行回転するクレセント１３の回転も減速する。
【００５１】
錠装置１１の本体１２には、クレセント１３を受け金具から強制的に外すための手段を有している。すなわち、本体１２には、図２に示すように、リモコン３５からの第１電波信号および開錠操作部４６からの第２電波信号を受信するアンテナ部３７と、リモコン３５に設けている永久磁石（操作手段）５２が接近するとオンするリードスイッチ（起動スイッチ）４３と、アンテナ部３７で前記第１電波信号や前記第２電波信号を受信したときに解除部１７のモータ１７ａを作動させてクレセント１３を強制的に回転させる錠制御部３８とを有している。
【００５２】
前記第１電波信号と前記第２電波信号とには、それぞれを識別するためのコード信号を有している。開錠操作部４６は、建物内の廊下や階段やロビーまたは建物内の特定の室（例えば管理人室）や建物の外壁などに配置されている（図１では一個）。前記永久磁石５２は、リモコン３５の内部や、リモコン３５の外表面などに配置されている。前記リードスイッチ４３は、錠装置１１の本体１２の内部の適所などに配置されている。アンテナ部３７は、バーアンテナやループアンテナなどからなる。
【００５３】
また、本体１２には、ギヤロック部１６の爪１６ａが付勢部１５のラック１５ａから離れる解除位置になる回転角度まで解除部１７のカム１７ｂが回転したことを検知する第１リミットスイッチ３９（図４参照）と、解除部１７のモータ１７ａが作動したことでクレセント１３が回転して受け金具から外れて、レバー１３ｂが横向きとなる開錠姿勢（図１１の姿勢）になったことを検知する第２リミットスイッチ（検知手段）４２と、開錠動作の際などに点滅するＬＥＤ（報知手段）５４と、開錠動作の際などに作動（鳴動）する内蔵ブザー（報知手段）５５とを有している。
【００５４】
また、前記本体１２には、一次電池や二次電池などからなる電源用の電池４０（図４）を内蔵している。錠制御部３８は、第１リミットスイッチ３９によって前記回転角度までカム１７ｂが回転したことを検知すると前記モータ１７ａを停止する。
【００５５】
前記リモコン３５には、図２に示すように、前記第１電波信号を送信するためのアンテナ部４１と、第１電波信号を送信させるための押ボタン４４と、その押ボタン４４の操作に応じて第１電波信号を送信させるリモコン制御部４５と、前記永久磁石５２とを有している。リモコン３５には、電源供給用の電池（一次電池や二次電池）を内蔵している。アンテナ部４１は、ループアンテナなどからなる。
【００５６】
前記開錠操作部４６には、図１に示すように、非常感知器４７（図１では複数個）を有線式または無線式によって接続している。開錠操作部４６には、前記第２電波信号を各錠装置１１の本体１２に送信するためのアンテナ部４８と、前記第２電波信号を送信させるための操作ボタン（開錠スイッチ）４９と、その操作ボタン４９での操作（例えば操作ボタン４９を押す）などに応じて第２電波信号を送信させる操作制御部５０と、ブザーやベルや赤色回転灯などからなっていて、操作ボタン４９が操作されたときなどに前記ブザーや赤色回転灯などを作動させて報知の動作を行う報知部５１とを有している。開錠操作部４６は、商用電源（例えばＡＣ１００Ｖ）や内蔵の電池（一次電池や二次電池）などを電源にしている。
【００５７】
そして、開錠操作部４６は、非常感知器４７からの非常信号を受信したとき、または操作ボタン４９が操作されたときに、前記第２電波信号を送信する。アンテナ部４８は、ループアンテナやバーアンテナなどからなる。操作ボタン４９は、押すごとにオンとオフとを切り替えるオルタネイト型のスイッチなどからなる。
【００５８】
前記開錠操作部４６の操作制御部５０や電池などは外装カバー（不図示）内に収容される。なお、開錠操作部４６の操作ボタン４９や報知部５１は、開錠操作部４６の外装カバーに配置してもよく、また開錠操作部４６の外装カバーとは別の位置に配置してもよい。例えば報知部５１は、建物外に配置してもよい。
【００５９】
錠装置１１の本体１２の錠制御部３８は、所定の設定時間ごとに動作および動作停止を繰り返す間欠動作（例えば０．１〜０．５秒間程度だけ動作したのちに５〜１０秒間程度だけ動作停止する）を行っている。開錠操作部４６は、前記錠制御部３８の前記間欠動作の繰り返し周期よりも長い期間、前記第２電波信号を送信するようになっている。例えば、前記繰返し周期が１０秒の場合には、開錠操作部４６は第２電波信号を１５〜２０秒間送信する。錠装置１１の本体１２の錠制御部３８を前記間欠動作にしたことで本体１２の消費電力が抑えられる。なお、錠制御部３８は、動作期間中のみ第２電波信号を受け付ける。
【００６０】
錠装置１１の本体１２の錠制御部３８は、開錠操作部４６からの第２電波信号の受信に伴って解除部１７のモータ１７ａを作動させたときには、第２リミットスイッチ４２によってクレセント１３が回転して受け金具から外されたことが検知されると、例えば０．１〜０．２秒間点灯したのちに１〜２秒間消灯するＬＥＤ５４の点滅を５〜１０分間（所定の報知時間）繰り返す。
【００６１】
このように、クレセント１３が受け金具から外されると、本体１２のＬＥＤ５４の点滅を５〜１０分間繰り返すので、例えば夜間に火災や地震などの非常事態が発生し、その非常事態に伴って停電が生じて室内が暗くなっていても、前記ＬＥＤ５４の点滅によって住人などが引違い戸１の位置を確認して、その引違い戸１を開いてベランダへ避難することができる。なお、錠制御部３８は、前記モータ１７ａが作動しているときには、０．１〜０．２秒間点灯したのちに０．１〜０．２秒間消灯する点滅を繰り返す。それにより、前記モータ１７ａの作動を確認することができる。
【００６２】
また、前記モータ１７ａの作動開始の際に、本体１２の内蔵ブザー５５を、例えば０．１〜０．５秒間だけ作動させてもよい。また、前記ＬＥＤ５４の点滅に代えて、前記報知時間だけ内蔵ブザー５５を間欠的に作動（例えば１〜２秒間の作動および１〜２秒間の停止を繰り返す）させてもよい。また、前記報知時間が経過する前に、住人がベランダから室内に戻ってクレセント１３を受け金具に係止したときには、ＬＥＤ５４の点滅（または内蔵ブザー５５の作動）が停止するようにしてもよい。それにより、必要以上のＬＥＤ５４の点滅（または内蔵ブザー５５の作動）を防いで、本体１２の消費電力を抑えることができる。
【００６３】
本体１２の錠制御部３８は、リモコン３５の永久磁石５２が接近したことで本体１２のリードスイッチ４３がオンしたときには、リードスイッチ４３を介して電源が供給され、それによって動作停止期間中であっても作動が開始する。そして、前記錠制御部３８は、リードスイッチ４３がオンしている状態でリモコン３５からの第１電波信号を受信すると、解除部１７のモータ１７ａ（開錠手段）を作動させてクレセント１３を回転させる。
【００６４】
このように、前記錠制御部３８が動作停止期間中であってもリードスイッチ４３がオンすると動作を開始するようにしたことで、リモコン３５の永久磁石５２を本体１２のリードスイッチ４３に接近させて当該リードスイッチ４３をオンさせた状態で、直ちにリモコン３５の操作ボタン４９を操作して第１電波信号を送信しても、錠制御部３８は、本体１２の解除部１７のモータ１７ａを確実に作動させる。それにより、リモコン３５は、第１電波信号を送信する期間だけ作動すればよいことになり、その分だけリモコン３５の消費電力を抑えることができる。
【００６５】
本発明の錠システムの動作を説明する。まず、施錠された引違い窓１を、リモコン３５を用いて開錠する場合について説明する。その場合の引違い窓１は、以下のようにして施錠している。すなわち、クレセント１３の規制部２３の頭部２６を回して、規制部２３のカム２５のカム山２５ａをロッド１９ａのスライド移動方向と直交する方向に向け（図６の状態）、次いでクレセント１３のレバー１３ｂを手で掴んで施錠方向へ回転（図１１では反時計方向）させる。
【００６６】
すると、そのクレセント１３の回転により、クレセント１３のクレセントロック部１９のロッド１９ａがギヤ１４の筒部１４ａの係留部１４ｃに嵌まり込んで係留され、それによってギヤ１４がクレセント１３と同方向（施錠方向）へ回転（同行回転）する。そのギヤ１４の回転によって付勢部１５のラック１５ａが上方へスライド移動し、それに伴ってコイルバネ１５ｂが上方へ引っ張られる。そして、レバー１３ｂが上下方向に沿う姿勢（図５の姿勢）までクレセント１３を回転させることで、クレセント１３の係止部１３ｃが受け金具に係止されるとともに（施錠状態）、ラック１５ａの切り欠き１５ｄにギヤロック部１６の爪１６ａが係合する（図４の状態）。それによってラック１５ａが移動不能になって、そのラック１５ａに噛合するギヤ１４がロックされる（回転不能になる）。
【００６７】
前記施錠状態で、錠装置１１の本体１２のリードスイッチ４３の近傍にリモコン３５の永久磁石５２を接近させる（例えば、本体１２のリードスイッチ４３とリモコン３５の永久磁石５２との距離が５ｃｍよりも短くなるように接近させる）と、リモコン３５の永久磁石５２の磁力によって本体１２のリードスイッチ４３がオンし、本体１２の錠制御部３８は、動作停止期間中であっても動作を開始する。そのリードスイッチ４３のオン状態でリモコン３５の押ボタン４４を押したときには、錠制御部３８が、リモコン３５からの第１電波信号を受信して、本体１２の解除部１７のモータ１７ａを作動させる（開錠手段を作動させる）。
【００６８】
そのモータ１７ａの作動によってカム１７ｂが回転し、そのカム１７ｂの回転によってアーム１７ｃの一端部が時計方向（図４では右方向）へ押され、アーム１７ｃの他端部が、ギヤロック部１６の爪１６ａのピン１６ｃをコイルバネ１６ｂの付勢力に抗して付勢部１５のラック１５ａから離れる方向（図４では左方向）へ押す。
【００６９】
それにより、ギヤロック部１６の爪１６ａが、付勢部１５のラック１５ａから離れる解除位置にスライド移動してラック１５ａの切り欠き１５ｄから外れ、ギヤロック部１６によるギヤ１４のロックが解除されて、コイルバネ１５ｂの付勢力によってラック１５ａが下方へ引っ張られる。すると、ギヤ１４がクレセント１３を受け金具から外れる開錠方向（図４の時計方向）へ回転し、そのギヤ１４にクレセント１３が同行回転する。その結果、クレセント１３の係止部１３ｃが受け金具から外れ、引違い窓１が開錠される（図１１の状態）。なお、錠装置１１の本体１２のリードスイッチ４３から５ｃｍ以上、リモコン３５の永久磁石５２を離している状態では、当該リードスイッチ４３がオンしないため、その状態でリモコン３５の押ボタン４４を押しても前記解除部１７のモータ１７ａは作動しない。
【００７０】
また、前記施錠状態で、火災などの非常事態が発生し、その非常事態を少なくとも一つの非常感知器４７が検知したときには、当該非常感知器４７から開錠操作部４６へ非常信号が送信され、それによって開錠操作部４６の操作制御部５０は、アンテナ部４８から各錠装置１１の本体１２へ前記第２電波信号を送信するとともに報知部５１によって報知の動作を行わせる。例えば、報知部５１がブザーやベルの場合には、そのブザーやベルが鳴動する。報知部５１がランプ（ＬＥＤなど）や赤色回転灯の場合には、そのランプや赤色回転灯が点灯（点滅）する。なお、報知部５１は、ブザーやベルと、ランプや赤色回転灯とからなるものであってもよい。その場合、ブザーやベルの鳴動とランプや赤色回転灯の点灯（点滅）とが同時に行われる。
【００７１】
そして、前記第２電波信号を各錠装置１１の本体１２のアンテナ部３７が受信することで、本体１２の解除部１７のモータ１７ａが作動して、ギヤ１４が前記開錠方向へ回転し、クレセント１３の係止部１３ｃが受け金具から外れて、各室の引違い窓１が一斉に開錠される。なお、本体１２の錠制御部３８は、アンテナ部３７が第２電波信号を受信したときには、リードスイッチ４３がオンまたはオフのいずれであっても解除部１７のモータ１７ａを作動させる。
【００７２】
開錠操作部４６の操作ボタン４９が操作されたときにも、操作制御部５０はアンテナ部４８から各錠装置１１の本体１２へ前記第２電波信号を送信するとともに報知部５１によって前記報知の動作を行わせる。なお、開錠操作部４６の操作ボタン４９が操作されたときには、報知部５１による報知の動作を行わなくてもよい。
【００７３】
各錠装置１１の本体１２は、開錠操作部４６からの第２電波信号をアンテナ部３７で受信したときには、その第２電波信号を増幅してアンテナ部３７から送信するようにしてもよい。それにより、開錠操作部４６から離れた室の錠装置１１であっても確実に第２電波信号を受信することができる。
【００７４】
引違い窓１を手動で施開錠する場合には、クレセント１３の規制部２３の頭部２６を回して、規制部２３のカム２５をクレセント１３のレバー１３ｂの先端側に向ける（図８の状態）。それによってクレセント１３のレバー１３ｂがギヤ１４の係留部１４ｃから外れ、クレセント１３を手動で回転させて引違い窓１を施錠または開錠することができる。
【００７５】
なお、クレセント１３のカム２５のカム山２５ａをロッド１９ａのスライド移動方向と直交する方向に向けた状態で、クレセント１３を回転させてクレセント１３の係止部１３ｃを受け金具に係止させたときには、クレセント１３のロッド１９ａがギヤ１４の係留部１４ｃに係留されるとともにギヤ１４がロックされるので、例えば侵入者が外部からガラス戸の一部を破壊したのち、その破壊部分から手を室内に差し込んでもクレセント１３を回転させることができず、その分だけ防犯性が高まる。
【００７６】
このように、リモコン３５の操作によって引違い窓１を開錠する場合には、そのリモコン３５の永久磁石５２を当該開錠対象の引違い窓１の錠装置１１の本体１２のリードスイッチ４３に接近させて、当該リードスイッチ４３をオンさせた状態で、リモコン３５の押ボタン４４を押さなければ、本体１２の解除部１７のモータ１７ａを作動させることができないので、開錠対象以外の引違い窓１の錠装置１１の本体１２が、リモコン３５から送信される第１電波信号を受信しても、その開錠対象以外の引違い窓１が開錠することがない。つまり、開錠を希望しない引違い窓１が誤って開錠することを防止できる。
【００７７】
錠装置１１の本体１２の錠制御部３８は、本体１２内の電池が容量不足になったときに前記ＬＥＤ５４の点滅や内蔵ブザー５５の作動などによってその旨を報知することができる。例えば錠制御部３８は、本体１２の電池の電圧が本体１２の動作を正常に行い難くなる所定の電圧（例えば３Ｖ）よりも低くなると、０．１〜０．２秒間点灯したのちに１〜２秒間消灯するＬＥＤ５４の点滅を繰り返させる。そのＬＥＤ５４の点滅に代えて、またはＬＥＤ５４の点滅と共に内蔵ブザー５５を作動させてもよい。
【００７８】
開錠操作部４６は、複数の開錠操作部４６を建物内と建物外とに分けて配置してもよい。前記説明では、モータ１７ａや電池４０などをクレセント１３の上側に配置したが、モータ１７ａや電池４０などをクレセント１３の下側に配置してもよい。また、クレセント１３を回転させて受け金具から外す開錠手段としては、前記説明のもの以外の構成であってもよい。すなわち、例えばクレセント１３をモータなどで直接、回転駆動するものであってもよい。
【００７９】
前記説明では、第１電波信号と第２電波信号とはコード信号で識別しているために、第１電波信号と第２電波信号とを同一の周波数の電波で送信（搬送）できるが、第１電波信号と第２電波信号とを異なる周波数の電波で送信してもよい。その場合、第１電波信号と第２電波信号とに識別用のコード信号を含ませなくてもよい。
【００８０】
前記永久磁石５２を有しているリモコン３５とは別に、押ボタンでの操作などに応じて第２電波信号を送信するリモコンを配置し、そのリモコンから第２電波信号が送信されたときに、各室のクレセント１３が一斉に回転して各引違い窓１をそれぞれ開錠するようにしてもよい。
【００８１】
錠装置１１の本体１２のモータ１７ａの作動開始から所定の作動時間が経過するまでに、第２リミットスイッチ４２によってクレセント１３が受け金具から外されたことが検知されないときには、本体１２の錠制御部３８は、前記モータ１７ａを停止させるとともに、当該モータ１７ａの停止を報知すべく、例えば０．１〜０．２秒間点灯したのちに１〜２秒間消灯するＬＥＤ５４の点滅を繰り返させる。それにより、モータ１７ａの過剰な回転を防ぐことができる。なお、モータ１７ａの停止の際のＬＥＤ５４の点滅に代えて、またはＬＥＤ５４の点滅と共に内蔵ブザー５５を作動させてもよい。
【００８２】
錠装置１１の本体１２の錠制御部３８は、開錠操作部４６からの第２電波信号を受信して解除部１７のモータ１７ａを作動させたのち、第２リミットスイッチ４２によってクレセント１３が受け金具から外されたことが検知されると、ＬＥＤ５４を前記報知時間（例えば５〜１０分間）だけ点滅させたが、そのＬＥＤ５４の報知時間の点滅を省略してもよい。その場合、第２リミットスイッチ４２の配置を省略できる。
【００８３】
開錠操作部４６は、内蔵の電池の電圧が当該開錠操作部４６の動作を正常に行い難くなる所定の電圧（例えば３Ｖ）よりも低くなると、その旨を報知すべく、例えば開錠操作部４６に配置したＬＥＤ（不図示）を０．１〜０．２秒間点灯したのちに１〜２秒間消灯する点滅を繰り返してもよい。
【００８４】
前記引違い窓１に錠装置１１を配置することに加えて、前記建物の各室の出入り口や建物の玄関などに配置する引き戸や扉などに電気錠を配置し、その電気錠が前記第２電波信号を受信したときに自動的に開錠するように構成してもよい。それによって建物の住人などは、火災などの際に前記引き戸や扉などを自ら開錠しなくても当該引き戸や扉などを開いて、建物外へ迅速に避難することができる。
【００８５】
錠装置１１の本体１２の錠制御部３８は、例えば、前述の錠装置１１の本体１２のモータ１７ａの作動開始から所定の作動時間が経過するまでに、第２リミットスイッチ４２によってクレセント１３が受け金具から外されたことが検知されないときには、その旨の電波信号を建物内の特定の室（例えば管理人室）に配置した管理盤（不図示）などに送信し、その管理盤に設けている表示部に、クレセント１３が受け金具から外されたことが検知されない錠装置１１の本体１２の番号などを表示してもよい。
【００８６】
それにより、前記表示に気付いた建物の管理人などが、当該クレセント１３が受け金具から外されてない錠装置１１の室に出向いて、クレセント１３が受け金具から外されたか否かの確認などを行うことができる。
【符号の説明】
【００８７】
１  引違い窓
３  一方のガラス戸
４  他方のガラス戸
１１  錠装置
１２  本体
３５  リモコン
３７  アンテナ部
３８  錠制御部
４２  第２リミットスイッチ
４３  リードスイッチ
４６  開錠操作部
４７  非常感知器
４８  アンテナ部
４９  操作ボタン
５１  報知部
５２  永久磁石
５４  ＬＥＤ
５５  内蔵ブザー
【図１】
2013224517.tif 000003
【図２】
2013224517.tif 000004
【図３】
2013224517.tif 000005
【図４】
2013224517.tif 000006
【図５】
2013224517.tif 000007
【図６】
2013224517.tif 000008
【図７】
2013224517.tif 000009
【図８】
2013224517.tif 000010
【図９】
2013224517.tif 000011
【図１０】
2013224517.tif 000012
【図１１】
2013224517.tif 000013